(57)【要約】 【課題】  配線の取り回しを簡素化することができ、しかも接続部品の嵌合および嵌合解除を円滑にすることができる裏嵌め構造のパチンコ遊技機を提供する。【解決手段】  遊技盤支持枠３には、後方から遊技盤２が着脱される。遊技盤支持枠３の後方には、機構盤４が設けられる。遊技盤２の後面部には、遊技盤側接続部品５が設けられる。機構盤４の前面部には、遊技盤側接続部品５に嵌合される機構盤側接続部品６が設けられる。遊技盤支持枠３の一側部１６と機構盤４の一側部１７とは、連結部７によって連結される。連結部７は、機構盤４の一側部１７が遊技盤支持枠３の一側部１６に対して、上下に延びる角変位軸線Ｌまわりに角変位可能となるように構成される。しかも連結部７は、機構盤４の一側部１７が遊技盤支持枠３の一側部１６に対して、遊技盤側接続部品５と機構盤側接続部品６との嵌合方向Ｂにスライド変位可能となるように構成される。【選択図】      図１
2008200128.tif 000002
【特許請求の範囲】
【請求項１】
第１の電気部品を有する遊技盤と、
遊技盤を着脱可能に支持し、後方から遊技盤が着脱される遊技盤支持枠と、
第２の電気部品を有し、遊技盤支持枠の後方に設けられる機構盤と、
互いに嵌合されることで、第１の電気部品と第２の電気部品とを電気的に接続する一対の接続部品であって、遊技盤の後面部に設けられる第１の接続部品と、機構盤の前面部に設けられ、第１の接続部品に嵌合される第２の接続部品とを有する一対の接続部品と、
遊技盤支持枠の一側部と機構盤の一側部とを連結する連結部であって、機構盤の一側部が遊技盤支持枠の一側部に対して、上下に延びる角変位軸線まわりに角変位可能となり、かつ、第１の接続部品と第２の接続部品との嵌合方向にスライド変位可能となるように構成される連結部とを含むことを特徴とするパチンコ遊技機。
【発明の詳細な説明】
【技術分野】
【０００１】
本発明は、パチンコ遊技機に関する。
【背景技術】
【０００２】
パチンコ遊技機では、遊技盤支持枠によって、遊技盤が着脱可能に支持される。遊技盤支持枠に対する遊技盤の着脱構造は、前嵌め構造と裏嵌め構造とに大別される。前嵌め構造では、遊技盤支持枠に対して前方から遊技盤が着脱される。裏嵌め構造では、遊技盤支持枠に対して後方から遊技盤が着脱される。
【０００３】
特許文献１には、前嵌め構造のパチンコ遊技機が開示される。このパチンコ遊技機では、遊技盤および遊技盤支持枠に、電気部品がそれぞれ搭載される。遊技盤の後面部および遊技盤支持枠の前面部には、接続部品がそれぞれ設けられる。遊技盤の接続部品と遊技盤支持枠の接続部品とが互いに嵌合されることで、遊技盤の電気部品と遊技盤支持枠の電気部品とが電気的に接続される。
【０００４】
【特許文献１】特開２００５−１６８６７９号公報
【発明の開示】
【発明が解決しようとする課題】
【０００５】
近年、遊技盤は大形化されており、したがって遊技盤の収容空間を大きく確保する必要がある。遊技盤支持枠の前方には、前面カバー部材が設けられ、さらにスピーカなども設けられるので、遊技盤の収容空間を大きく確保することができない。これに対して遊技盤支持枠の後方には、遊技盤の収容空間を大きく確保することができる。この点を踏まえると、前嵌め構造ではなく裏嵌め構造を採用することが好ましい。
【０００６】
ここで、裏嵌め構造のパチンコ遊技機において、前記特許文献１に開示される技術と同様に、遊技盤および遊技盤支持枠に電気部品がそれぞれ搭載される場合を想定する。この場合、遊技盤の前面部および遊技盤支持枠の後面部に接続部品をそれぞれ設け、これらの各接続部品を互いに嵌合させることで各電気部品を電気的に接続させることが考えられる。
【０００７】
このような形態では、遊技盤の後面部および遊技盤支持枠の後面部にそれぞれ設けられる各電気部品は、遊技盤を遊技盤支持枠に取り付けた状態で、遊技盤および遊技盤支持枠の後方で略同一平面上に位置する。それにも拘わらず、遊技盤支持枠の電気部品から遊技盤の電気部品までの配線は、遊技盤支持枠の後面部に設けられる電気部品から延びて、遊技盤の前面部を介して、遊技盤の後面部に設けられる電気部品に連なることになる。このように遊技盤の前面部に配線を取り回す必要があるので、配線の取り回しが複雑化してしまうという問題がある。
【０００８】
裏嵌め構造のパチンコ遊技機では、遊技盤の交換作業および遊技盤の修理作業などの容易性を考慮して、一般的には、前記形態における遊技盤支持枠に設けられている電気部品の多くを、遊技盤支持枠の後方に別途に設けられる機構盤の後面部に取り付ける場合が多い。この場合、遊技盤の後面部および機構盤の前面部に接続部品をそれぞれ設け、これらの各接続部品を互いに嵌合させることで各電気部品を電気的に接続させることが考えられる。
【０００９】
このような形態では、遊技盤の電気部品から機構盤の電気部品までの配線は、遊技盤の後面部に設けられる電気部品から延びて、遊技盤の後面部に設けられる接続部品および機構盤の前面部に設けられる接続部品を介して、機構盤の後面部に設けられる電気部品に連なることになる。したがって、この場合は、前から後ろへと無理なく配線が延びるので、容易に配線を取り回すことができる。
【００１０】
しかしながら、機構盤の一側部は、連結部によって、遊技盤支持枠の一側部に連結され、遊技盤支持枠の一側部に対して、上下に延びる角変位軸線まわりに角変位される。この場合、機構盤の一側部が遊技盤支持枠の一側部に対して前記角変位軸線まわりに角変位されることで各接続部品が嵌合および嵌合解除される。したがって各接続部品の嵌合および嵌合解除のときに、遊技盤の接続部品に対する機構盤の接続部品の移動方向が、接続部品の嵌合方向に対して傾斜してしまう。その結果、接続部品の嵌合および嵌合解除が円滑になされないという問題が生じる。
【００１１】
本発明の目的は、配線の取り回しを簡素化することができ、しかも接続部品の嵌合および嵌合解除を円滑にすることができる裏嵌め構造のパチンコ遊技機を提供することである。
【課題を解決するための手段】
【００１２】
本発明では、遊技盤支持枠によって、遊技盤が着脱可能に支持される。遊技盤支持枠には、後方から遊技盤が着脱される。遊技盤支持枠の後方には、機構盤が設けられる。
【００１３】
遊技盤の後面部には、第１の接続部品が設けられる。機構盤の前面部には、第２の接続部品が設けられる。第１の接続部品と第２の接続部品とが互いに嵌合されることで、遊技盤に搭載される第１の電気部品と機構盤に搭載される第２の電気部品とが電気的に接続される。
【００１４】
遊技盤支持枠の一側部と機構盤の一側部とは、連結部によって連結される。連結部は、機構盤の一側部が遊技盤支持枠の一側部に対して、上下に延びる角変位軸線まわりに角変位可能となるように構成される。しかも連結部は、機構盤の一側部が遊技盤支持枠の一側部に対して、第１の接続部品と第２の接続部品との嵌合方向にスライド変位可能となるように構成される。
【００１５】
本発明に従えば、機構盤の一側部を遊技盤支持枠の一側部に対して前記角変位軸線まわりに角変位させることで、開放状態と閉塞状態とを実現することができる。開放状態では、遊技盤支持枠の後方が開放される。閉塞状態では、遊技盤支持枠の後方が機構盤によって閉塞される。第１の接続部品と第２の接続部品とを嵌合および嵌合解除させるとき、閉塞状態において、機構盤の他側部を遊技盤支持枠の他側部に対して前記嵌合方向にスライド変位させるとともに、機構盤の一側部を遊技盤支持枠の一側部に対して前記嵌合方向にスライド変位させることで、第１の接続部品に対する第２の接続部品の移動方向を前記嵌合方向と一致させることができる。
【００１６】
このような本発明によれば、遊技盤の後面部に設けられる第１接続部品と機構盤の前面部に設けられる第２接続部品とが互いに嵌合されることで、遊技盤に搭載される第１の電気部品と機構盤に搭載される第２の電気部品とが電気的に接続される。したがって第１の電気部品と第２の電気部品との間で、前から後ろへと無理なく、配線を取り回すことができる。これによって配線の取り回しを簡素化することができる。また第１の接続部品と第２の接続部品とを嵌合および嵌合解除させるとき、第１の接続部品に対する第２の接続部品の移動方向を前記嵌合方向と一致させることができる。したがって第１の接続部品と第２の接続部品との嵌合および嵌合解除を円滑にすることができる。
【発明を実施するための最良の形態】
【００１７】
図１は、本発明の実施の一形態であるパチンコ遊技機１を分解して示す斜視図である。図２は、パチンコ遊技機１の背面図である。本実施の形態のパチンコ遊技機１は、いわゆる裏嵌め構造のパチンコ遊技機である。パチンコ遊技機１は、遊技盤２と、遊技盤支持枠３と、機構盤４と、一対の接続部品５，６と、連結部７とを含む。本実施の形態において、前方とは、実使用状態でパチンコ遊技機１から操作者に向かう方向であり、後方とは、実使用状態でパチンコ遊技機１から操作者に向かう方向とは反対の方向である。
【００１８】
遊技盤２には、遊技部が形成される。遊技部は、実使用状態において操作者に臨む。遊技部には、入賞口などの各種の構造物が配設され、これらの構造物を囲むように環状のレールが立設される。遊技盤２は、第１の電気部品（以下「遊技盤側電気部品」という）１０を有する。遊技盤側電気部品１０は、表示装置および各種の制御基板などによって実現される。遊技盤２には、入賞口が形成される。入賞口は、たとえば、正面から見て遊技盤２の左下に配置される。
【００１９】
遊技盤支持枠３は、正面から見て矩形に形成される。遊技盤支持枠３は、遊技盤２を着脱可能に支持する。遊技盤支持枠３には、後方から遊技盤２が着脱される。このような遊技盤支持枠３は、遊技盤２を収容する収容部１１と、収容部１１に収容される遊技盤２を係止する係止部１２とを有する。
【００２０】
収容部１１は、後方に臨んで開放される。これによって収容部１１には、後方から遊技盤２を出し入れすることができる。収容部１１には、前後方向に貫通する開口が形成される。これによって遊技盤２の前面部が、前記開口を介して前方に臨むことができる。
【００２１】
係止部１２は、遊技盤２の周縁部を後方から押圧する押圧状態と、遊技盤２への押圧が解除された押圧解除状態とにわたって変化可能に構成される。押圧状態では、遊技盤２を収容部１１に係止することができる。押圧解除状態では、収容部１１に対して遊技盤２を出し入れすることができる。
【００２２】
機構盤４には、賞球通路などが配設される。機構盤４は、遊技盤支持枠３の後方に設けられる。機構盤４は、第２の電気部品（以下「機構盤側電気部品」という）１３と、機構盤側電気部品１３を支持する支持体１４とを有する。機構盤側電気部品１３は、各種の制御基板などによって実現される。支持体１４は、たとえばナイラッチ２１によって遊技盤支持枠３に固定される。支持体１４には、前後方向に貫通する開口が形成される。支持体１４の後方には、前記開口を後方から覆う後面カバー部材１５が設けられる。後面カバー部材１５は、たとえばナイラッチ２２によって支持体１４に固定される。
【００２３】
一対の接続部品５，６は、コネクタによって実現される。一対の接続部品５，６は、遊技盤２の後面部に設けられる第１の接続部品（以下「遊技盤側接続部品」という）５と、機構盤４の前面部に設けられ、遊技盤側接続部品５に嵌合される第２の接続部品（以下「機構盤側接続部品」という）６とを有する。遊技盤側接続部品５と機構盤側接続部品６とが互いに嵌合されて機械的に接続されることで、遊技盤側電気部品１０と機構盤側電気部品１３とが電気的に接続される。これによって遊技盤側電気部品１０と機構盤側電気部品１３との間で電力および電気信号を伝達することができる。
【００２４】
連結部７は、遊技盤支持枠３の一側部１６と機構盤４の一側部１７とを連結する。遊技盤支持枠３の一側部１６は、遊技盤支持枠３の、正面から見て左側の側部である。機構盤４の一側部１７は、機構盤４の、正面から見て左側の側部である。
【００２５】
連結部７は、機構盤４の一側部１７が遊技盤支持枠３の一側部１６に対して、実使用状態において上下に延びる角変位軸線Ｌまわりに矢符Ａ方向に角変位可能となるように構成される。しかも連結部７は、機構盤４の一側部１７が遊技盤支持枠３の一側部１６に対して、遊技盤側接続部品５と機構盤側接続部品６との嵌合方向Ｂにスライド変位可能となるように構成される。
【００２６】
このような連結部７は、遊技盤支持枠３の一側部１６の上部１６ａと機構盤４の一側部１７の上部１７ａとを連結する上部連結具１８と、遊技盤支持枠３の一側部１６の下部１６ｂと機構盤４の一側部１７の下部１７ｂとを連結する下部連結具１９とを有する。
【００２７】
図３は、遊技盤側接続部品５および機構盤側接続部品６を模式的に示す断面図である。図１をも参照して、遊技盤側接続部品５は、遊技盤２の、前記角変位軸線Ｌとは反対側の側部寄りに配置され、たとえば、入賞口などを避けるように、背面から見て遊技盤２の左下に配置される。機構盤側接続部品６は、機構盤４の、前記角変位軸線Ｌとは反対側の側部寄りに配置され、たとえば、賞球通路などを避けて、正面から見て機構盤４の右下に配置される。
【００２８】
遊技盤側接続部品５には、嵌合凹所２５が形成される。遊技盤側接続部品５の嵌合凹所２５は、遊技盤２の後方に臨んで開放される。機構盤側接続部品６には、嵌合突部２６が形成される。機構盤側接続部品６の嵌合突部２６は、機構盤４の前方に突出し、遊技盤側接続部品５の嵌合凹所２５に嵌まり込む。遊技盤側接続部品５の嵌合凹所２５に機構盤側接続部品６の嵌合突部２６が嵌まり込むことによって、遊技盤側接続部品５と機構盤側接続部品６とが嵌合される。本実施の形態では、遊技盤側接続部品５と機構盤側接続部品６との嵌合方向Ｂは、遊技盤支持枠３の前後方向と一致する。
【００２９】
図４は、上部連結具１８を分解して示す斜視図である。上部連結具１８は、係合部３１と、係合部３１が係合される被係合部３２とを有する。
【００３０】
係合部３１は、機構盤４の一側部１７の上部１７ａに固定される基部と、基部に連なり、下方に臨む水平な支持面３３ａが形成される支持部３３と、支持部３３の支持面３３ａから下方に突出するピン３４とを有する。係合部３１のピン３４の軸線は、前記角変位軸線Ｌと共通な一直線を成す。
【００３１】
被係合部３２は、遊技盤支持枠３の一側部１６の上部１６ａに固定される基部３５と、基部３５の下部に連なり、遊技盤支持枠３の後方に向かって延び、上方に臨む水平な支持面３６ａが形成される支持部３６と、支持部３６の一側部から上方に立ち上がり、基部３５の一側部に連なる補強部３７とを有する。被係合部３２の支持部３６には、上下に貫通し、前記嵌合方向Ｂに延びる案内溝３８が形成される。
【００３２】
被係合部３２の案内溝３８には、係合部３１のピン３４が上方から挿通され、係合部３１の支持部３３の支持面３３ａは、被係合部３２の支持部３６の支持面３６ａによって下方から支持される。この状態で、係合部３１のピン３４は、その軸線まわりに角変位可能であり、しかも被係合部３２の案内溝３８に沿って前記嵌合方向Ｂにスライド変位可能である。
【００３３】
図５は、下部連結具１９を分解して示す斜視図である。下部連結具１９は、係合部４１と、係合部４１が係合される被係合部４２とを有する。
【００３４】
係合部４１は、機構盤４の一側部１７の下部１７ｂに固定される基部と、基部に連なり、下方に臨む水平な当接面４３ａが形成される当接部４３と、当接部４３の当接面４３ａから下方に突出するピン４４とを有する。係合部４１のピン４４の軸線は、前記角変位軸線Ｌと共通な一直線を成す。
【００３５】
被係合部４２は、遊技盤支持枠３の一側部１６の下部１６ｂに固定される基部４５と、基部４５の上部に連なり、遊技盤支持枠３の後方に向かって延び、上方に臨む水平な当接面４６ａが形成される当接部４６と、当接部４６の両側部から下方に立ち下がり、基部４５の両側部に連なる補強部４７とを有する。被係合部４２の当接部４６には、上下に貫通し、前記嵌合方向Ｂに延びる案内溝４８が形成される。案内溝４８は、被係合部４２の当接部４６の一側部寄りに配置される。
【００３６】
被係合部４２の案内溝４８には、係合部４１のピン４４が上方から挿通され、係合部４１の当接部４３の当接面４３ａは、被係合部４２の当接部４６の当接面４６ａに上方から当接する。この状態で、係合部４１のピン４４は、その軸線まわりに角変位可能であり、しかも被係合部４２の案内溝４８に沿って前記嵌合方向Ｂにスライド変位可能である。
【００３７】
図６は、遊技盤支持枠３に対する機構盤４の開閉作業の手順を説明するための模式図であり、図６（１）は開放状態を示し、図６（２）は第１閉塞状態を示し、図６（３）は第２閉塞状態を示す。機構盤４は、作業者によって開閉される。
【００３８】
開放状態では、図６（１）に示すように、遊技盤支持枠３の後方が開放される。このような開放状態では、遊技盤支持枠３に対して後方から遊技盤２を着脱することができ、したがって遊技盤２を交換することができる。このときピン３４，４４が案内溝３８，４８の後方寄りに配置されることで、遊技盤支持枠３の一側部１６の後方での、機構盤４の一側部１７と遊技盤２の一側部との干渉を避けることができる。したがって遊技盤支持枠３に対する遊技盤２の着脱作業を容易化することができる。
【００３９】
閉塞状態は、図６（２）に示すような第１閉塞状態と、図６（３）に示すような第２閉塞状態とを含む。第１閉塞状態では、遊技盤支持枠３の後面部と機構盤４の前面部とが対向し、かつ、機構盤側接続部品６が前記図３において実線５１で示すように遊技盤側接続部品５から引き抜かれて遊技盤側接続部品５と機構盤側接続部品６との嵌合が解除される。このような第１閉塞状態では、ピン３４，４４が案内溝３８，４８の後方寄りに配置される。第２閉塞状態では、遊技盤支持枠３の後面部と機構盤４の前面部とが対向し、かつ、機構盤側接続部品６が前記図３において仮想線５２で示すように遊技盤側接続部品５に嵌め込まれて遊技盤側接続部品５と機構盤側接続部品６とが嵌合される。このような第２閉塞状態では、ピン３４，４４が案内溝３８，４８の前方寄りに配置される。
【００４０】
本実施の形態では、機構盤４の一側部１７を遊技盤支持枠３の一側部１６に対して前記角変位軸線Ｌまわりに角変位させることで、開放状態と閉塞状態とを実現することができる。したがって遊技盤支持枠３の後方を開放するために、遊技盤支持枠３に対して機構盤を離脱する必要がなく、遊技盤の交換作業および遊技盤の修理作業などを容易化することができる。
【００４１】
機構盤４を閉じるにあたっては、まず、開放状態から第１閉塞状態にし、この後、第１閉塞状態から第２閉塞状態にする。この後、ナイラッチ２１によって、機構盤４を遊技盤支持枠３に固定する。
【００４２】
開放状態から第１閉塞状態にするには、機構盤４の一側部１７を後方に引きながら、機構盤４の他側部５７を前方に押す。これによってピン３４，４４を案内溝３８，４８の後方寄りの位置に維持しながら、機構盤４の一側部１７を遊技盤支持枠３の一側部１６に対して前記角変位軸線Ｌまわりに矢符Ａ１方向に角変位させて、機構盤４の他側部５７を遊技盤支持枠３の他側部５６に近接させることができる。
【００４３】
第１閉塞状態から第２閉塞状態にするには、機構盤４の両側部１７，５７を前記嵌合方向Ｂに沿って前方Ｂ１に押す。これによって機構盤側接続部品６が遊技盤側接続部品５に嵌め込まれ、遊技盤側接続部品５と機構盤側接続部品６とが嵌合される。このときピン３４，４４は、案内溝３８，４８に案内されて、前記嵌合方向Ｂに沿って前方Ｂ１にスライド変位される。
【００４４】
機構盤４を開くにあたっては、遊技盤支持枠３に対する機構盤４の、ナイラッチ２１による固定を解除した後、まず、第２閉塞状態から第１閉塞状態にし、この後、第１閉塞状態から開放状態にする。
【００４５】
第２閉塞状態から第１閉塞状態にするには、機構盤４の両側部１７，５７を前記嵌合方向Ｂに沿って後方Ｂ２に引く。これによって機構盤側接続部品６が遊技盤側接続部品５から引き抜かれ、遊技盤側接続部品５と機構盤側接続部品６との嵌合が解除される。このときピン３４，４４は、案内溝３８，４８に案内されて、前記嵌合方向Ｂに沿って後方Ｂ２にスライド変位される。
【００４６】
第１閉塞状態から開放状態にするには、機構盤４の他側部５７を後方に引く。これによってピン３４，４４を案内溝３８，４８の後方寄りの位置に維持しながら、機構盤４の一側部１７を遊技盤支持枠３の一側部１６に対して前記角変位軸線Ｌまわりに矢符Ａ２方向に角変位させて、機構盤４の他側部５７を遊技盤支持枠３の他側部５６から離反させることができる。
【００４７】
以上のような本実施の形態によれば、遊技盤２の後面部に設けられる遊技盤側接続部品５と機構盤４の前面部に設けられる機構盤側接続部品６とが互いに嵌合されることで、遊技盤側電気部品１０と機構盤側電気部品１３とが電気的に接続される。したがって遊技盤側電気部品１０と機構盤側電気部品１３との間で、前から後ろへと無理なく、配線を取り回すことができる。これによって配線の取り回しを簡素化することができる。また遊技盤側電気部品１０と機構盤側電気部品１３とを電気的に接続するためにワイヤハーネスが必要なく、これによっても配線の取り回しを簡素化することができる。さらに遊技盤支持枠３に対する機構盤４の開閉作業と、遊技盤側電気部品１０と機構盤側電気部品１３との接続作業とを、同時に行うことができ、組付け作業の手間を削減することができる。
【００４８】
また本実施の形態によれば、機構盤４の一側部１７を遊技盤支持枠３の一側部１６に対して前記角変位軸線Ｌまわりに角変位させることで、開放状態と閉塞状態とを実現することができる。したがって遊技盤支持枠３の後方を開放するために、遊技盤支持枠３に対して機構盤を離脱する必要がなく、遊技盤の交換作業および遊技盤の修理作業などを容易化することができる。そのうえ、遊技盤側接続部品５と機構盤側接続部品６とを嵌合および嵌合解除させるとき、閉塞状態において、機構盤４の他側部５７を遊技盤支持枠３の他側部５６に対して前記嵌合方向Ｂにスライド変位させるとともに、機構盤４の一側部１７を遊技盤支持枠３の他側部１６に対して前記嵌合方向Ｂにスライド変位させることで、遊技盤側接続部品５に対する機構盤側接続部品６の移動方向を前記嵌合方向Ｂと一致させることができる。したがって遊技盤側接続部品５と機構盤側接続部品６との嵌合および嵌合解除を円滑にすることができる。
【００４９】
さらに本実施の形態によれば、遊技盤側接続部品５は、遊技盤２の、前記角変位軸線Ｌとは反対側の側部寄りに配置される。したがって遊技盤側接続部品５と機構盤側接続部品６とを嵌合させるとき、各接続部品５，６を作業者が目視し易く、これによって各接続部品５，６を容易かつ確実に嵌合させることができる。
【００５０】
前述の実施の形態は、本発明の例示に過ぎず、本発明の範囲内において構成を変更することができる。たとえば機構盤側接続部品６および遊技盤側接続部品５の少なくともいずれか一方は、フローティングコネクタであってもよい。フローティングコネクタは、前記嵌合方向Ｂに対して直交する仮想平面内で移動可能に設けられる。したがって遊技盤側接続部品５と機構盤側接続部品６との嵌合および嵌合解除をさらに円滑にすることができる。
【００５１】
また機構盤側接続部品６に嵌合凹所が形成され、遊技盤側接続部品５に嵌合突部が形成されてもよい。この場合、機構盤側接続部品６の嵌合凹所は、機構盤４の前方に臨んで開放され、遊技盤側接続部品５の嵌合突部は、遊技盤２の後方に突出し、機構盤側接続部品６の嵌合凹所に嵌まり込む。機構盤側接続部品６の嵌合凹所に遊技盤側接続部品５の嵌合突部が嵌まり込むことによって、遊技盤側接続部品５と機構盤側接続部品６とが嵌合される。
【００５２】
連結部７は、案内溝３８，４８の後方寄りではピン３４，４４の角変位が可能であり、案内溝３８，４８の後方寄りを除く範囲ではピン３４，４４の角変位が阻止されるように、案内溝３８，４８およびピン３４，４４が形成されてもよい。具体的には、ピン３４，４４は、角柱形状、たとえば四角柱形状に形成される。案内溝３８，４８は、案内溝３８，４８の後方寄りに位置する第１溝空間と、第１溝空間に連なる第２溝空間とを含む。第１溝空間は、円形に形成され、ピン３４，４４の外接円の直径よりも大きい直径を有する。第２溝空間は、ピン３４，４４の外接円の直径よりも小さい幅寸法を有する。この場合、遊技盤側接続部品５と機構盤側接続部品６とが嵌合される間は、機構盤４の一側部１７が遊技盤支持枠３の一側部１６に対して角変位されることが防がれる。これによって作業者による開閉時の誤作業を防ぐことができる。
【００５３】
連結部７は、遊技盤支持枠３の一側部１６に係合部が設けられ、機構盤４の一側部１７に被係合部が設けられるように、構成されてもよい。この場合、係合部は、上方に突出するピンを有する。被係合部には、閉塞状態において前記嵌合方向Ｂに延びる案内溝が形成される。被係合部の案内溝には、係合部のピンが下方から挿通される。
【００５４】
連結部７は、角変位手段とスライド変位手段とを有していればよい。角変位手段は、機構盤４の一側部１７が遊技盤支持枠３の一側部１６に対して前記角変位軸線Ｌまわりに矢符Ａ方向に角変位可能となるように構成される。スライド変位手段は、機構盤４の一側部１７が遊技盤支持枠３の一側部１６に対して前記嵌合方向Ｂにスライド変位可能となるように構成される。
【００５５】
前述の実施の各形態から把握できる技術的思想について以下に記載する。
（１）前記第１の接続部品は、遊技盤の、前記角変位軸線とは反対側の側部寄りに配置されることを特徴とする請求項１に記載のパチンコ遊技機。
【００５６】
このようにすれば、第１の接続部品と第２の接続部品とを嵌合させるとき、各接続部品を作業者が目視し易く、これによって各接続部品を容易かつ確実に嵌合させることができるという効果を奏する。
【００５７】
（２）前記第１の接続部品および前記第２の接続部品の少なくともいずれか一方は、前記嵌合方向に対して直交する仮想平面内で移動可能に設けられることを特徴とする請求項１に記載のパチンコ遊技機。
【００５８】
このようにすれば、第１の接続部品と第２の接続部品との嵌合および嵌合解除をさらに円滑にすることができるという効果を奏する。
【図面の簡単な説明】
【００５９】
【図１】本発明の実施の一形態であるパチンコ遊技機１を分解して示す斜視図。
【図２】パチンコ遊技機１の背面図。
【図３】遊技盤側接続部品５および機構盤側接続部品６を模式的に示す断面図。
【図４】上部連結具１８を分解して示す斜視図。
【図５】下部連結具１９を分解して示す斜視図。
【図６】機構盤４の開閉作業の手順を説明するための模式図。
【符号の説明】
【００６０】
１…パチンコ遊技機、２…遊技盤、３…遊技盤支持枠、４…機構盤、５…遊技盤側接続部品、６…機構盤側接続部品、７…連結部、１０…遊技盤側電気部品、１３…機構盤側電気部品
【図１】
2008200128.tif 000003
【図２】
2008200128.tif 000004
【図３】
2008200128.tif 000005
【図４】
2008200128.tif 000006
【図５】
2008200128.tif 000007
【図６】
2008200128.tif 000008